(57)【要約】      （修正有）【課題】祈願人の氏名、祈願内容、あるいはさらに写真等に対して御祓いがされたカード型御守を提供する。【解決手段】携帯御守１は、全体がカードサイズであってその断面が紙および/またはプラスチックの１層または２層以上の層構造をなし、表面に祈願人の氏名、祈願内容、あるいはさらに写真等の印刷記載を有し、裏面に神社やお寺の特色ある図柄や写真等の印刷記載を有し、前記表面、裏面の印刷記載の印刷実行後に御祓いを受けてなり、唯一無二である。【選択図】図１
0003144338.tif 000002
【実用新案登録請求の範囲】
【請求項１】
携帯御守は、全体がカードサイズであってその断面が紙および/またはプラスチックの１層または２層以上の層構造をなし、表面に祈願人の氏名、祈願内容、あるいはさらに写真等の印刷記載を有し、裏面に神社やお寺の特色ある図柄や写真等の印刷記載を有し、前記表面、裏面の印刷記載の印刷実行後に御祓いを受けてなり、唯一無二であることを特徴とする携帯御守。
【考案の詳細な説明】
【技術分野】
【０００１】
本考案は、携帯御守に関する。
【背景技術】
【０００２】
神社やお寺で御守（“おまもり”と読む。願いを象ったものである。）を授かる際、古くからの習慣は、祈願人（この祈願人は個人または法人である。以下同じ）が帰依する神社やお寺に参拝（法人の場合は代表者あるいはその代理等が参拝）し、御札等に当該祈願人の氏名（個人名または法人名、以下同じ）や祈願内容を記載し、御祓い（ご祈祷）を受けた後、その御札等を御守として頂くというものである。該御札等の材質は、紙、木、布等である。
【０００３】
しかし、かかる御札等は一般に嵩張った形状ないし過大な寸法を有し、携帯に不便であることから、従来より、携帯に便利なようにカード型とした御守が提案されている（例えば特許文献１参照）。また、カード型の御守に広告宣伝のためのビラを一体に組み合わせて当該ビラとしても使用できるようにした提案もある（例えば特許文献２参照）。
【特許文献１】実開平4-125776号公報
【特許文献２】特開平11-155724号公報
【考案の開示】
【考案が解決しようとする課題】
【０００４】
従来のカード型御守は、神社やお寺で御祓いを済ませたものが、その神社やお寺の販売コーナ等で販売されており、これらには神社やお寺の特色を表すもの（名称、紋章、図柄、写真など）は記載されているものの、祈願人の氏名および祈願内容の記載はなく、それらの記入実行はカード型御守の購入者（祈願人）に委ねられている。なお、御守種類として、例えば「合格御守」、「交通安全御守」といった大雑把な分類がされてはいるが、祈願人の氏名、および、より具体的な祈願内容、例えば「○○大学合格祈願」、車のナンバー等といった内容の記載はない。つまり、従来のカード型御守は、祈願人の氏名、祈願内容、あるいはさらに写真等に対して御祓いがされたものとはなっておらず、祈願成就を期待できる感（有難味）に乏しいという課題を有する。
【課題を解決するための手段】
【０００５】
本考案は、カードサイズでありながら祈願人の氏名、祈願内容、あるいはさらに写真等に対して御祓いがされた、世の中に一つしかない（唯一無二の）、携帯御守を提供しようとするものであり、その要旨構成は以下のとおりである。
（請求項１）
携帯御守は、全体がカードサイズであってその断面が紙および/またはプラスチックの１層または２層以上の層構造をなし、表面に祈願人の氏名、祈願内容、あるいはさらに写真等の印刷記載を有し、裏面に神社やお寺の特色ある図柄や写真等の印刷記載を有し、前記表面、裏面の印刷記載の印刷実行後に御祓いを受けてなり、唯一無二であることを特徴とする携帯御守。
【考案の効果】
【０００６】
本考案によれば、祈願人は、カードサイズでありながら祈願人の氏名、祈願内容、あるいはさらに写真等の印刷記載に対して御祓いがされた、唯一無二の携帯御守を授かることができる。
【考案を実施するための最良の形態】
【０００７】
本考案の携帯御守（略して本携帯御守）は、御守全体がカードサイズであるから、財布、名刺入れ、定期券入れ等に収めて極めて容易に持ち運びできる。本携帯御守用素材の材質は、印刷に適した紙（光沢のある紙が好ましい）またはプラスチックとする。断面構造は、相同材質の１層または２層以上の層構造であればよいが、これに限らず、相異材質の２層以上の層構造としてもよい。
【０００８】
図１は、本携帯御守の表裏面の記載様式の１例を示す模式図である。この例では、表面に、御守種類、祈願人の氏名、祈願内容、帰依する社寺名、祈願日に関する情報の印刷記載を有し、裏面には、神社やお寺の特色ある図柄や写真等の印刷記載を有する。
本考案にいう「印刷記載」とは、印刷による記載を意味する。本考案において、印刷記載に限定したのは、手書きによる記載では工業的量産化が不可能であり、全国各地に在住する多数の祈願人の多様な祈願内容に迅速に対応することができないからである。なお、図１の例に示したように、本携帯御守は、表面に祈願人の氏名、祈願内容の印刷記載を有し、裏面に社寺の表象の印刷記載を有するものである限りにおいて、表面または裏面には、これら以外の適宜の情報の印刷記載（例えば表面にさらに祈願人の写真等の印刷記載）が付加されていてもよい。また、本考案において、表面とは、御祓いを受ける時に神仏の方に向ける側の面であり、その反対側の面が裏面になる。
【０００９】
なお、図１の例は横長カード面への横書き型であるが、このほか、横長カード面への縦書き型、縦長カード面への縦書き型もしくは横書き型のいずれでもよい。
本携帯御守は、その発行時点で、祈願人の氏名、祈願内容、あるいはさらに写真等の印刷後に御祓いを受けたものとなっていなければならないから、祈願人の氏名および祈願内容あるいはさらにその他の情報は、御祓い前の印刷前に、発注者（本携帯御守購入希望者）から受注者（本携帯御守発行者）へ通知されなければならない。この通知内容に基づき誤謬なく効率良く本携帯御守用素材に祈願人の氏名および祈願内容に関する情報を印刷する観点、および、発信者へ、受注した旨と「印刷→御祓い→発送」が順次行なわれることを約束する旨を迅速に返信する観点から、本携帯御守は、パソコンあるいは携帯電話を端末機とするインターネット通販システムを介して通信販売されることが、本考案を実施するための最良の形態である。
【００１０】
この最良の形態においては、発注者は、例えばパソコンにて、帰依する神社やお寺のホームページにアクセスして、例えば図２に示すような注文様式を有する入力画面を開き、所定の入力用窓に氏名、祈願内容等の必要事項を入力する。なお、この入力画面において、「御守種類」の種類名には、「御守」、「身守」、「心身健康御守」、「厄除開運御守」、「交通安全御守」、「必勝御守」、「合格御守」、「安産御守」、「学業成就御守」、「心願成就御守」、「八方除守護攸御守」、その他、各神社、各お寺の特有の名称があり、プルダウンおよびクリックにより、該当する名称の選択が可能である。また、「カード色」は、「金色」、「黒色」、「白色」、「濃紺色」、「濃緑色」等のうちから選択可能であり、「文字色」は、「金色」、「黒色」、「白色」等のうちから選択可能である。
【００１１】
発注者は、前記入力を実行し、入力事項を確認後、「入力確認」マーク、「送信」マークを順次クリックするだけでよい。なお、「入力確認」マークのクリックを省略すると「送信」マークをクリックしても送信は実行されない（確認漏れを防ぐため）。
「入力確認」マーク、「送信」マークの順にクリックすると、入力データは直ちに受注者側のサーバへ送信される。ただし、個人情報保護のため、情報のインターネット伝送時には、暗号化システム(SSL)を併用する。画像転送はしない。
【００１２】
前記送信に応じて、受注者側のサーバから発注者側のパソコンへ、例えば図３に示すようなメッセージが自動返信される。この返信メッセージにより、発注者は、受注の完了と、注文製品が届けられるまでの過程（印刷→御祓い→発送）の約束とを確認することができる。
前記サーバに送信された氏名、祈願内容等のデータは、前記サーバから印刷制御手段に送られる。該印刷制御手段は前記送られたデータに基づいて、印刷機制御用データを生成し、印刷機へ送る。該印刷機は前記送られた印刷機制御用データに基づいてカードサイズの本携帯御守用素材に印刷を実行する。この印刷においては、表面に祈願人の氏名、祈願内容、あるいはさらに写真等が印刷され、裏面に神社やお寺の特色ある図柄や写真等が印刷される。この印刷の実行後に御祓いが施されて、本携帯御守の注文製品が完成する。また、前記サーバは、運送会社の受注システムにリンクしており、そこへ前記注文製品の発送依頼情報を送信する。この発送依頼情報に応じて前記運送会社は前記注文製品の発送を行う。
【００１３】
かくして祈願人は、カードサイズの本携帯御守素材に当該祈願人の氏名、祈願内容（あるいはさらに写真等）の入力情報が印刷されたものに御祓いを施されてなる、唯一無二の本携帯御守を授かることができる。
【図面の簡単な説明】
【００１４】
【図１】本携帯御守の表面および裏面の記載様式の１例を示す模式図である。
【図２】本携帯御守の注文様式の１例を示す入力画面図である。
【図３】図２の入力画面からの発注に応じた返信メッセージの書式例を示す説明図である。
【符号の説明】
【００１５】
１  本考案の携帯御守（略して本携帯御守）
【図１】
0003144338.tif 000003
【図２】
0003144338.tif 000004
【図３】
0003144338.tif 000005
【手続補正書】
【提出日】平成20年6月18日(2008.6.18)
【手続補正１】
【補正対象書類名】図面
【補正対象項目名】図２
【補正方法】変更
【補正の内容】
【図２】
0003144338.tif 000006